(57)【要約】【課題】  可動体の重力（自重）を利用することによって、構成の簡略化を図りつつ演出動作の多様性を実現することのできる遊技機用可動演出装置とそれを備えた遊技機を提供する。【解決手段】  メインフレーム１０は電動モータ３０からの駆動力により移動範囲を移動方向下方に直線移動する。このとき、同期移動領域では、サブフレーム２０（補助スライド体２２）が補助長孔１１の下端縁１１ａを介し自身の重力作用によりメインフレーム１０に追随移動する。一方、単独移動領域では、サブフレーム２０が従動体保持機構５０により追随移動を停止し、メインフレーム１０のみが単独で下方移動する。【選択図】  図２
2010273836.tif 000002
【特許請求の範囲】
【請求項１】
遊技者側を前方側としたとき、複数の可動体を、前後方向において少なくとも部分的に重なり合う状態にて、鉛直方向に配置された遊技盤に対して上下方向の変動を伴う同一の移動方向に直線移動可能となした遊技機用可動演出装置であって、
前記複数の可動体は、そのうちのいずれか１つが、外力を受けて前記移動方向の下向き又は上向きに直線移動を行う原動体として、その残りが、前記原動体の１又は複数の受止部で受け止め支持された状態にて自身の重力を利用して追随移動可能な従動体として、それぞれ構成されるとともに、
前記原動体に外力としての駆動力を及ぼし、前記移動方向において所定の移動範囲にわたり直線移動させるための駆動源と、
前記遊技盤に対して固定配置された固定部材と各々の従動体との間に配置され、前記原動体の移動範囲のうちの一部である１又は複数の同期移動領域の終端において対応する従動体を位置保持して、又はすべての同期移動領域を除く単独移動領域の始端においてすべての従動体を位置保持して、それらの追随移動を停止させるための１又は複数の従動体保持機構と、
を備え、
前記原動体が前記駆動源からの駆動力により前記移動範囲を前記移動方向の下向き又は上向きに直線移動するとき、各々の同期移動領域においていずれかの従動体が対応する受止部により前記原動体に追随移動する一方、前記単独移動領域においてすべての従動体が前記従動体保持機構により追随移動を停止し前記原動体のみが単独で移動することを特徴とする遊技機用可動演出装置。
【請求項２】
前記駆動源はロータリアクチュエータで構成されるとともに、そのロータリアクチュエータと前記原動体との間には、前者の回転運動を後者の直線運動に変換する運動変換機構が配置され、
その運動変換機構は、前記ロータリアクチュエータで回転駆動されるピニオンギアと、そのピニオンギアと噛み合うことにより前記移動方向に沿って往復直線運動可能なラックが形成されたラック部材とを含み、
前記運動変換機構のラック部材は、前記原動体と一体的に形成されるとともに、前記従動体を前記移動方向に沿って移動案内するための案内部を有する請求項１に記載の遊技機用可動演出装置。
【請求項３】
前記固定部材と原動体との間には、前記原動体を前記移動範囲の上限において位置固定するためのロック機構が設けられている請求項１又は２に記載の遊技機用可動演出装置。
【請求項４】
前記原動体は前記同期移動領域又は単独移動領域の移動途中で停止可能であり、
前記原動体が途中停止したとき、前記従動体は、前記同期移動領域にあっては前記原動体の受止部で受け止め支持された状態にて停止する一方、前記単独移動領域にあっては前記従動体保持機構により追随移動を妨げられて停止する請求項１ないし３のいずれか１項に記載の遊技機用可動演出装置。
【請求項５】
前記原動体が前記移動方向を下向き又は上向きに移動する場合、前記従動体保持機構は、前記移動範囲の中途部において前記従動体を位置保持する請求項１ないし４のいずれか１項に記載の遊技機用可動演出装置。
【請求項６】
請求項１ないし５のいずれか１項に記載の遊技機用可動演出装置を備えることを特徴とする遊技機。
【発明の詳細な説明】
【技術分野】
【０００１】
本発明は、パチンコ機のセンター役物等に用いられる遊技機用可動演出装置と、そのような可動演出装置を備えるパチンコ機等の遊技機に関する。
【背景技術】
【０００２】
例えば、パチンコ機の装飾部材（センター役物）において、演出表示用の可変表示装置の側方に配置された２つの演出用可動体を、単一の駆動モータ（駆動源）により同一方向に揺動させて一連の演出動作を実行する可動演出装置が開示されている（特許文献１参照）。このような可動演出装置によれば、２つの演出用可動体を単一の駆動モータで一連に演出動作させることによって、構成の簡略化を図りつつ遊技者の一層の関心を惹くことができる。ところが、２つの演出用可動体を異なる軌道で可動するとはいえ、これら一連の演出動作は同一方向にかつ同時に実行されるので動きが単調になりがちであり、演出動作に意外性が乏しく遊技者の興趣を高めるには十分とは言えなかった。また、２つの演出用可動体によるそれぞれの演出動作は単一の駆動モータにより異なる軌道で同時に実行されるので、駆動モータに対する負荷が大きくなる。
【０００３】
そこで、演出用可動体毎に駆動モータを設けるようにすれば、演出動作の多様性とモータ負荷の減少（分散化）を図ることができる（特許文献２参照）。しかし、それによって構成の複雑化や製造コストの増加を招くことになり、これらの相反するテーマを克服することが要請されている。
【先行技術文献】
【特許文献】
【０００４】
【特許文献１】特開２００７−３１２８４７号公報
【特許文献２】特開２００５−４０４１３号公報
【発明の概要】
【発明が解決しようとする課題】
【０００５】
本発明の課題は、可動体の重力（自重）を利用することによって、構成の簡略化を図りつつ演出動作の多様性を実現することのできる遊技機用可動演出装置とそれを備えた遊技機を提供することにある。
【課題を解決するための手段及び発明の効果】
【０００６】
上記課題を解決するために、本発明の遊技機用可動演出装置は、
遊技者側を前方側としたとき、複数の可動体を、前後方向において少なくとも部分的に重なり合う状態にて、鉛直方向に配置された遊技盤に対して（例えば遊技盤の盤面と平行状で）上下方向の変動を伴う同一の（すなわち共通する）移動方向に直線移動可能となした遊技機用可動演出装置であって、
前記複数の可動体は、そのうちのいずれか１つが、外力を受けて前記移動方向の下向き又は上向きに直線移動を行う原動体として、その残りが、前記原動体の１又は複数の受止部で受け止め支持された状態にて自身の重力を利用して追随移動可能な従動体として、それぞれ構成されるとともに、
前記原動体に外力としての駆動力を及ぼし、前記移動方向において所定の移動範囲にわたり（例えば連続的又は断続的に）直線移動させるための（単一の）駆動源と、
前記遊技盤に対して固定配置された固定部材と各々の従動体との間に配置され、前記原動体の移動範囲のうちの一部である１又は複数の同期移動領域の終端において対応する従動体を位置保持して、又はすべての同期移動領域を除く単独移動領域の始端においてすべての従動体を位置保持して、それらの追随移動を停止させるための１又は複数の従動体保持機構と、
を備え、
前記原動体が前記駆動源からの駆動力により前記移動範囲を前記移動方向の下向き又は上向きに直線移動するとき、各々の同期移動領域においていずれかの従動体が対応する受止部（を介し自身の重力作用）により前記原動体に追随移動する一方、前記単独移動領域においてすべての従動体が前記従動体保持機構により追随移動を停止し前記原動体のみが単独で移動することを特徴とする。
【０００７】
例えば、可動体が１つの原動体と１つの従動体とから構成される場合、遊技機用可動演出装置の具体的態様は、
遊技者側を前方側としたとき、後方側又は前方側に位置する第一の可動体と、前方側又は後方側に位置する第二の可動体とを、前後方向において少なくとも部分的に重なり合う状態にて、鉛直方向に配置された遊技盤に対して（例えば遊技盤の盤面と平行状で）上下方向の変動を伴う同一の（すなわち共通する）移動方向に直線移動可能となした遊技機用可動演出装置であって、
前記第一の可動体は外力を受けて前記移動方向の下向き又は上向きに直線移動を行う原動体として、前記第二の可動体は前記原動体の受止部で受け止め支持された状態にて自身の重力を利用して追随移動可能な従動体として、それぞれ構成されるとともに、
前記原動体に外力としての駆動力を及ぼし、前記移動方向において所定の移動範囲にわたり（例えば連続的又は断続的に）直線移動させるための（単一の）駆動源と、
前記遊技盤に対して固定配置された固定部材と前記従動体との間に配置され、前記原動体の移動範囲のうちの一部である同期移動領域の終端において、又は前記同期移動領域を除く単独移動領域の始端において、前記従動体を位置保持してその追随移動を停止させるための従動体保持機構と、
を備え、
前記原動体が前記駆動源からの駆動力により前記移動範囲を前記移動方向の下向き又は上向きに直線移動するとき、前記同期移動領域において前記従動体が前記受止部（を介し自身の重力作用）により前記原動体に追随移動する一方、前記単独移動領域において前記従動体が前記従動体保持機構により追随移動を停止し前記原動体のみが単独で移動することになる。
【０００８】
これらの遊技機用可動演出装置において、原動体（例えばメインフレーム）が移動範囲全体を直線移動する間に、従動体（例えばサブフレーム）は、同期移動領域では自身の重力作用（自重）を利用して原動体に追随移動するが、単独移動領域では従動体保持機構により追随移動を停止する。このように、一般的には駆動源（例えば電動モータ）に対する負荷となるために敬遠される可動体の重力（自重）を利用することによって、駆動源に対する負荷の増大を抑制して構成の簡略化を図りつつ、１又は複数の可動体に対してこれまでにない斬新な動きを付与して演出動作の多様性を実現することができる。つまり、従動体は、原動体に対して同期移動領域と単独移動領域とで異なる態様で関わることになるので、斬新かつ顕著な変化を付加することができ、多様な演出動作が可能となる。また、従動体から駆動源への直接的な負荷の増加を少なくすることができるので、簡素な構成にて実現できる。
【０００９】
なお、原動体を直線移動するための「（単一の）駆動源」には、ロータリアクチュエータ（例えばステッピングモータ）、リニアアクチュエータ（例えばリニアステッピングモータ）のいずれを用いてもよい。
【００１０】
また、「同期移動領域」は、１又は複数の従動体の各々について、（１）移動範囲の往路側（例えば下降側）・復路側（例えば上昇側）ともに設ける場合と、（２）いずれか片側に設ける場合とがある。「同期移動領域」を往復ともに設ける場合、設定位置を往復とも同じにするか、往復で異ならせるかは任意に選択できる。したがって、従動体に関して、同期移動領域における作動（自身の重力作用（自重）による原動体への追随移動）と、単独移動領域における作動（従動体保持機構による追随移動の停止）とは、（ａ）作動順序に関係なく実施でき、（ｂ）往路側（下降時）又は復路側（上昇時）でのみ成立してもよいし、往復ともに成立してもよい。
【００１１】
具体的には、
駆動源はロータリアクチュエータで構成されるとともに、そのロータリアクチュエータと原動体との間には、前者の回転運動を後者の直線運動に変換する運動変換機構が配置され、
その運動変換機構は、ロータリアクチュエータで回転駆動されるピニオンギアと、そのピニオンギアと噛み合うことにより移動方向に沿って往復直線運動可能なラックが形成されたラック部材とを含み、
運動変換機構のラック部材は、原動体と一体的に形成されるとともに、従動体を移動方向に沿って移動案内するための案内部を有することができる。
【００１２】
このように、運動変換機構を構成するラック部材に、従動体を移動案内するための案内部を形成することによって、運動変換機構を簡略に構成しつつ、従動体の円滑な直線移動が可能になる。具体的には、案内部を移動方向に形成された長孔で構成し、従動体に一体的に形成されたスライド体を長孔に挿入することによって、運動変換機構（ラック部材）の軽量化を図ることもできる。なお、ロータリアクチュエータには、ステッピングモータ、ロータリソレノイド等を用いることができる。
【００１３】
また、原動体にも、従動体を移動方向に沿って移動案内するための補助案内部を複数形成することによって、従動体の一層円滑な直線移動が可能になる。具体的には、補助案内部を移動方向に形成された複数（例えば２つ）の補助長孔で構成し、従動体に一体的に形成された複数（例えば２つ）の補助スライド体を補助長孔に各々挿入することができる。なお、補助長孔の下端縁を上記した受止部に兼用する場合には、可動演出装置の構成をさらに簡略化できる。
【００１４】
さらに、固定部材（例えば固定フレーム）に、ラック部材を移動方向に沿って移動案内するための固定案内部を形成することによって、原動体及び従動体のさらに円滑な直線移動が可能になる。具体的には、固定案内部を移動方向に形成された固定長孔で構成し、ラック部材に一体的に形成されたスライド部を固定長孔に挿入することができる。
【００１５】
このような可動演出装置において、固定部材と原動体との間には、原動体を移動範囲の上限において位置固定するためのロック機構を設けることができる。
【００１６】
このように、原動体を上限位置固定するためのロック機構を設けることによって、原動体が移動範囲の上限位置（例えば初期位置）において、自身の重量に従動体の重量が付加され、かつ駆動源からの駆動力が絶たれた状態となっても、移動方向へずり落ちるのを防止できる。このロック機構は、例えば、固定部材（又は原動体）に取り付けた永久磁石と原動体（又は固定部材）に取り付けた強磁性体とによって構成することができる。
【００１７】
原動体及び従動体には、それぞれ文字・図形・記号・形状・模様・色彩等の表示態様により表示された原動側表示体及び従動側表示体を、（例えばそれらの前端位置を揃える形態にて、）前方側に向けて突出形成することができる。
【００１８】
このような原動側表示体及び従動側表示体を原動体及び従動体に形成することによって、遊技盤上での遊技状況に合わせて装飾効果・演出効果を高めることができる。
【００１９】
上記した移動方向は、遊技盤の盤面と平行な面内において、従動体の重力の作用方向（すなわち鉛直方向）と斜めに交差する方向とすることができる。
【００２０】
このように、移動方向を盤面上で斜め方向に設定することによって、通常の重力落下よりも移動範囲（移動距離）を相対的に長くすることができ、意外性に富みダイナミックな演出動作が可能となる。例えば、原動側表示体と従動側表示体との境界位置を斜めの移動方向に合わせて配置することによって、これらが斜めに切断されたような視覚効果を生み出すことができる。また、距離が長くなる分、移動速度の調整を行いやすく（緩急変化をつけやすく）なる。さらに、例えば、盤面上において原動体及び従動体の移動方向を約９０°変更して配置しても、変更前とほぼ同様の移動態様を再現できるので、遊技盤に対する取り付けの汎用性を高めることができる。
【００２１】
例えば、原動体は同期移動領域又は単独移動領域の移動途中で停止可能であり、
原動体が途中停止したとき、従動体は、同期移動領域にあっては原動体の受止部で受け止め支持された状態にて停止する一方、単独移動領域にあっては従動体保持機構により追随移動を妨げられて停止することができる。
【００２２】
このような移動態様（停止態様）を可能とすることによって演出動作の一層の多様化を図ることができる。
【００２３】
そして、原動体が移動方向を下向き又は上向きに移動する場合、従動体保持機構が、移動範囲の中途部において従動体を位置保持してもよい。
【００２４】
これにより、原動体の下降時（あるいは上昇時）において、従動体の同期移動領域から単独移動領域（あるいは単独移動領域から同期移動領域）への移行が円滑に行える。このとき従動体保持機構は、例えば、固定部材（又は従動体）に形成した凹部と従動体（又は固定部材）に形成した突出部とによって構成することができる。なお、この従動体保持機構の突出部と上記した補助スライド体とを従動体に一体形成する場合には、可動演出装置の構成をさらに簡略化できる。
【００２５】
そして、上記課題を解決するために、本発明の遊技機は、以上のような遊技機用可動演出装置を備えることを特徴とする。
【００２６】
このように、可動体の重力（自重）を利用することによって、構成の簡略化を図りつつ多様な演出動作が可能な可動演出装置を備えることによって、遊技者の興趣が飛躍的に向上する遊技機を提供できる。
【００２７】
なお、本発明の遊技機には、（１）パチンコ機等の弾球遊技機、（２）スロットマシンやパチスロ機等の回胴式遊技機、（３）ポーカーゲーム機、雀球遊技機等の各種ゲーム機、等が含まれる。
【図面の簡単な説明】
【００２８】
【図１】本発明に係る可動演出装置を含むセンター役物を備えたパチンコ機を例示する正面図。
【図２】可動演出装置の一例を分解して示す前方からの斜視図。
【図３】図２の可動演出装置を分解して示す後方からの斜視図。
【図４】メインフレームが初期位置にあるときの正面図及び背面図。
【図５】図４のＡ−Ａ断面図及びＢ−Ｂ断面図。
【図６】図４に続いてメインフレームが中間位置にあるときの正面図及び背面図。
【図７】図６に続いてメインフレームが終端位置にあるときの正面図及び背面図。
【図８】図２の可動演出装置の作動を表す説明図。
【図９】可動演出装置の他の例を分解して示す前方からの斜視図。
【図１０】図９の可動演出装置を分解して示す後方からの斜視図。
【図１１】メインフレームが初期位置にあるときの正面図及び背面図。
【図１２】図１１に続いてメインフレームが往路中間位置にあるときの正面図及び背面図。
【図１３】図１２に続いてメインフレームが終端位置にあるときの正面図及び背面図。
【図１４】図１３のＡ’−Ａ’断面図及びＢ’−Ｂ’断面図。
【図１５】メインロック機構及びサブロック機構を示す平面図。
【図１６】図１３に続いてメインフレームが復路中間位置にあるときの正面図及び背面図。
【図１７】図９の可動演出装置の作動を表す説明図。
【発明を実施するための形態】
【００２９】
（実施例１）
以下、本発明の実施の形態を図面を参照しつつ説明する。図１は本発明に係る遊技機用可動演出装置（以下、単に可動演出装置ともいう）を含むセンター役物を備えたパチンコ機を例示する正面図である。図１に示すように、上下方向に配置されたパチンコ機１（遊技機）の遊技盤２の盤面（前面）には、ほぼ左半周が内外２本の発射レール２ｂによって区画され、全体として円形の遊技領域２ａが形成されている。遊技領域２ａの中央には、遊技盤２上での遊技状態の変化に応じた演出表示を行う液晶表示部３（可変表示手段）が配置されている。この液晶表示部３と、液晶表示部３を保持する矩形枠状の中央フレーム４と、中央フレーム４の前方にて液晶表示部３の上方に前側装飾部として配置された可動演出装置５とを含むセンター役物１００が、遊技盤２に搭載されている。液晶表示部３の下方（遊技領域２ａの中央下部）に大入賞口６（アタッカー）が配置されている。また、液晶表示部３と大入賞口６との間には、電動チューリップ（電チュー）にて構成される始動口７が配置されている。なお、可動演出装置５は、中央フレーム４に固定配置された固定フレーム８（固定部材）に取り付けられている。
【００３０】
なお、本明細書において、上下方向とは遊技盤２の盤面に沿う形で遊技球が流下する方向（例えば、鉛直方向）を意味する。また、左右方向とは遊技盤２の盤面に沿う形で上下方向と交差する方向（例えば、水平方向）を意味し、遊技者側からみて左側、右側をいう。さらに、前後方向とは遊技盤２と交差（例えば、直交）する方向を意味し、遊技者に対面する側（手前側）が前面側（前方側）であり、その反対側（奥側）が後面側（後方側）となる。
【００３１】
次に、図２は可動演出装置の一例を分解して示す前方からの斜視図、図３はその可動演出装置を分解して示す後方からの斜視図である。また、図４はメインフレームが初期位置にあるときの正面図及び背面図、図５はそのＡ−Ａ断面図及びＢ−Ｂ断面図、図６はメインフレームが中間位置にあるときの正面図及び背面図、図７はメインフレームが終端位置にあるときの正面図及び背面図である。
【００３２】
図２，図３に示すように、可動演出装置５は、後方側に位置するメインフレーム１０（原動体；第一の可動体）と、前方側に位置するサブフレーム２０（従動体；第二の可動体）とが、初期位置（図４参照）において前後にほぼ重なり合う状態で配置されている。両フレーム１０，２０は、遊技盤２の盤面と平行状で斜め上下の同一方向（共通の移動方向）へ直線移動可能である。
【００３３】
具体的には、メインフレーム１０は、後述する電動モータ３０（ロータリアクチュエータ；駆動源）からの駆動力（外力）を受けて斜め上下の移動方向（斜め下向き又は斜め上向き）に直線移動を行う。一方、サブフレーム２０には複数（例えば２つ）の補助スライド体２２が固定されている。これらの補助スライド体２２（サブフレーム２０）は、移動方向に沿ってメインフレーム１０に形成された複数（例えば３つのうちの２つ）の補助長孔１１の下端縁１１ａ（受止部）によってほぼ同時に受け止め支持された状態で、自身の重力を利用してメインフレーム１０に追随移動可能である。
【００３４】
また、可動演出装置５は、メインフレーム１０に駆動力を及ぼす単一の電動モータ３０と、電動モータ３０とメインフレーム１０との間に配置される運動変換機構４０と、固定フレーム８とサブフレーム２０との間に配置される従動体保持機構５０と、固定フレーム８とメインフレーム１０との間に配置されるメインロック機構６０（ロック機構）とを備えている。
【００３５】
このうち電動モータ３０は、移動方向に沿って固定フレーム８に形成された固定長孔８ａ（固定案内部）の長さ（具体的には後述するラック部材４２のスライド部４２ｃが移動可能な範囲）を移動範囲として、メインフレーム１０を可逆的、かつ連続的又は断続的に直線移動させる。また、運動変換機構４０は、電動モータ３０（モータギア３１）の回転運動をメインフレーム１０の直線運動に変換する機能を有する。この運動変換機構４０は、電動モータ３０（モータギア３１）で回転駆動されるピニオンギア４１と、ピニオンギア４１と噛み合うことにより移動方向に沿って往復直線運動可能なラック４２ａが形成されたラック部材４２とを含む。
【００３６】
図４（ｂ）及び図５（ｂ）にも示すように、このラック部材４２は、メインフレーム１０に固定（一体的に形成）されるとともに、サブフレーム２０を移動方向に沿って移動案内するための長孔４２ｂ（案内部）を有する。具体的には、移動方向に形成された長孔４２ｂに、サブフレーム２０に固定（一体的に形成）されたスライド体２１を挿入することによって、運動変換機構４０（ラック部材４２）の軽量化を図っている。
【００３７】
また、メインフレーム１０にも、サブフレーム２０を移動方向に沿って移動案内するための補助長孔１１（補助案内部）を複数（例えば３つ）形成することによって、サブフレーム２０の一層円滑な直線移動が可能になる。具体的には、移動方向に平行状に貫通形成された３つの補助長孔１１に、サブフレーム２０に固定（一体的に形成）された１つのスライド体２１と２つの補助スライド体２２とを各々挿入する。さらに、固定フレーム８に、ラック部材４２を移動方向に沿って移動案内するための固定長孔８ａ（固定案内部）を形成することによって、メインフレーム１０及びサブフレーム２０のさらに円滑な直線移動が可能になる。具体的には、移動方向に形成された固定長孔８ａに、ラック部材４２に固定（一体的に形成）されたスライド部４２ｃを挿入する。
【００３８】
いずれか１つ（例えば最も左側）の補助長孔１１は、固定フレーム８に貫通形成された固定長孔８ａ、及びラック部材４２に貫通形成された長孔４２ｂと各々前後方向に重なるように配置されている。そして、長孔４２ｂに対応して挿入されるスライド体２１は、最も左側の補助長孔１１及び固定長孔８ａをも貫通するとともに、これら補助長孔１１、固定長孔８ａ及び長孔４２ｂにそれぞれ摺動案内されるので、サブフレーム２０は極めて円滑に移動できる（図５（ｂ）参照）。なお、補助長孔１１の下端縁１１ａを上記した受止部に兼用しているので、可動演出装置５の構成をさらに簡略化できる。
【００３９】
従動体保持機構５０は、メインフレーム１０の下降時（斜め下向き移動時）に、移動範囲の中間位置（中途部、すなわち同期移動領域の終端；図６参照）において、サブフレーム２０を位置保持してメインフレーム１０との追随移動を停止させる。同期移動領域から単独移動領域への移行を円滑にするために、従動体保持機構５０は、固定フレーム８に貫通形成された凹部５１と、サブフレーム２０から後方側に突出形成された突出部５２とによって構成されている。ここで、同期移動領域とは、移動範囲のうちサブフレーム２０がメインフレーム１０に追随移動する領域であり、メインフレーム１０が初期位置（図４参照）から中間位置（図６参照）に至る範囲を意味する。また、単独移動領域とは、サブフレーム２０が追随移動を停止しメインフレーム１０のみ単独移動する領域であり、メインフレーム１０が中間位置（図６参照）から終端位置（図７参照）に至る範囲を意味する。なお、この従動体保持機構５０の突出部５２と、上記した補助スライド体２２とをサブフレーム２０に一体形成して、可動演出装置５の構成をさらに簡略化している。
【００４０】
したがって、メインフレーム１０は電動モータ３０からの駆動力により移動範囲を移動方向下方に直線移動する。このとき、同期移動領域（図４→図６）では、サブフレーム２０（補助スライド体２２）が補助長孔１１の下端縁１１ａを介し自身の重力作用によりメインフレーム１０に追随移動する。一方、単独移動領域（図６→図７）では、サブフレーム２０が従動体保持機構５０により追随移動を停止し、メインフレーム１０のみが単独で下方移動する。
【００４１】
メインロック機構６０は、メインフレーム１０を移動範囲の上限（すなわちメインフレーム１０の初期位置；図４参照）において位置固定する。メインフレーム１０の移動方向下方へのずり落ちを防止するために、メインロック機構６０は、固定フレーム８の上端部に固定された永久磁石６１と、メインフレーム１０の上端部に固定された鉄板６２（強磁性体）とによって構成されている。
【００４２】
固定フレーム８には、初期位置（図４）に対応させて、メインフレーム１０（ラック部材４２）の変動状態を非接触式にて検知するために、フォトセンサ６９（検知手段）が設置されている。また、ラック部材４２の長手方向中央付近には、フォトセンサ６９の所定領域を通過する（すなわち、光を遮る）ことによって初期位置へ到達したことを感知し、電動モータ３０の駆動を停止させるための遮蔽板４２ｄ（通過部）が一体成形されている。
【００４３】
メインフレーム１０の右端部には、アルファベット文字『Ｂ』が表示された右文字枠１０Ｒ（原動側表示体）が前方側に向けて突出形成されている。一方、サブフレーム２０の左端部及び中央部には、アルファベット文字『Ｎ』、『Ｐ』が表示された左文字枠２０Ｌ（従動側表示体）及び中文字枠２０Ｃ（従動側表示体）が前方側に向けてそれぞれ突出形成されている。これらの文字枠２０Ｌ，２０Ｃ，１０Ｒは、前端に位置する表示面（前面）が揃うように、突出高さを一致させてある。また、各文字枠２０Ｌ，２０Ｃ，１０Ｒの境界位置（境界線）の方向と、フレーム１０，２０の移動方向とを一致させてあるので、単独移動領域において中文字枠２０Ｃと右文字枠１０Ｒとが斜めに切断されたような視覚効果を生み出すことができる。なお、装飾効果・演出効果を高めるために、各文字枠２０Ｌ，２０Ｃ，１０Ｒの表示面には、文字枠２０Ｌ，２０Ｃ，１０Ｒ毎に異なる着色を施したり、文字枠２０Ｌ，２０Ｃ，１０Ｒに跨って連続する図柄を施したりしてもよい。
【００４４】
以上で説明した可動演出装置５の作動について、図４〜図８を参照しつつさらに説明する。
【００４５】
＜初期位置（図８（ａ），図４）→中間位置（図８（ｂ），図６）：同期移動領域＞
フォトセンサ６９が遮蔽板４２ｄを検知することによって、電動モータ３０の駆動が初期位置で停止し、メインロック機構６０の永久磁石６１がメインフレーム１０に固定された鉄板６２を吸着保持している。初期位置において電動モータ３０を図４の矢印の方向に駆動すると、メインロック機構６０の吸着力に抗して、ラック部材４２（メインフレーム１０）が移動方向下方に直線移動する。このとき、同期移動領域（図８（ａ）→図８（ｂ））では、サブフレーム２０（補助スライド体２２）が補助長孔１１の下端縁１１ａで受け止め保持され、自身の重力作用によりメインフレーム１０に追随移動（下方移動）する。
【００４６】
＜中間位置（図８（ｂ），図６）→終端位置（図８（ｃ），図７）：単独移動領域＞
中間位置に達すると、サブフレーム２０は従動体保持機構５０により追随移動を停止する。具体的には、サブフレーム２０に形成された突出部５２が固定フレーム８に貫通形成された凹部５１に当接し、サブフレーム２０は中間位置に保持される。一方、メインフレーム１０は電動モータ３０からの駆動力により引き続き移動方向下方に直線移動するから、単独移動領域（図８（ｂ）→図８（ｃ））では、メインフレーム１０のみが単独で下方移動する。
【００４７】
＜終端位置（図８（ｃ），図７）→中間位置（図８（ｂ），図６）：単独移動領域＞
終端位置から中間位置への移動は、上記した単独移動領域を逆方向（移動方向上方）に戻ることにより実行される。すなわち、サブフレーム２０は中間位置に保持された状態にて、単独移動領域（図８（ｃ）→図８（ｂ））では、メインフレーム１０のみが単独で上方移動する。
【００４８】
＜中間位置（図８（ｂ），図６）→初期位置（図８（ａ），図４）：同期移動領域＞
中間位置から初期位置への移動は、上記した同期移動領域を逆方向（移動方向上方）に戻ることにより実行される。すなわち、同期移動領域（図８（ｂ）→図８（ａ））では、サブフレーム２０（補助スライド体２２）が補助長孔１１の下端縁１１ａで受け止め保持され、自身の重力作用によりメインフレーム１０に追随移動（上方移動）する。初期位置に達すると、フォトセンサ６９が遮蔽板４２ｄを検知して電動モータ３０の駆動を停止するとともに、メインロック機構６０の永久磁石６１がメインフレーム１０に固定された鉄板６２を吸着保持する。
【００４９】
なお、電動モータ３０の駆動停止により、メインフレーム１０は同期移動領域又は単独移動領域の移動途中で停止可能である。メインフレーム１０が同期移動領域の途中で停止したとき、サブフレーム２０（補助スライド体２２）は補助長孔１１の下端縁１１ａで受け止め支持された状態にて停止する。一方、メインフレーム１０が単独移動領域の途中で停止したとき、サブフレーム２０は、従動体保持機構５０により追随移動を妨げられて停止する。このような移動態様（停止態様）を可能とすることによって、演出動作の一層の多様化を図ることができる。
【００５０】
このように、サブフレーム２０の重力（自重）を利用することによって、電動モータ３０に対する負荷の増大を抑制して構成の簡略化を図りつつ、両フレーム１０，２０に対してこれまでにない斬新な動きを付与して演出動作の多様性を実現することができる。つまり、サブフレーム２０は、メインフレーム１０に対して同期移動領域と単独移動領域とで異なる態様で関わることになるので、斬新かつ顕著な変化を付加することができ、多様な演出動作が可能となる。また、サブフレーム２０から電動モータ３０への直接的な負荷の増加を少なくすることができるので、簡素な構成にて実現できる。
【００５１】
また、ラック部材４２の移動方向に形成された長孔４２ｂに、サブフレーム２０に固定（一体的に形成）されたスライド体２１を挿入することによって、サブフレーム２０の円滑な直線移動と運動変換機構４０（ラック部材４２）の軽量化を図ることができる。
【００５２】
（実施例２）
次に、図９は可動演出装置の他の例を分解して示す前方からの斜視図、図１０はその可動演出装置を分解して示す後方からの斜視図である。また、図１１はメインフレームが初期位置にあるときの正面図及び背面図、図１２はメインフレームが往路中間位置にあるときの正面図及び背面図、図１３はメインフレームが終端位置にあるときの正面図及び背面図、図１４はそのＡ’−Ａ’断面図及びＢ’−Ｂ’断面図、図１５はメインロック機構及びサブロック機構を示す平面図、図１６はメインフレームが復路中間位置にあるときの正面図及び背面図である。
【００５３】
図９，図１０に示すように、可動演出装置１０５は、後方側に位置するメインフレーム１１０（原動体；第一の可動体）と、前方側に位置するサブフレーム１２０（従動体；第二の可動体）とが、初期位置（図１１参照）において前後に一部重なり合う状態で配置されている。両フレーム１１０，１２０は、遊技盤２の盤面と平行状で斜め上下の同一方向（共通の移動方向）へ直線移動可能である。
【００５４】
具体的には、メインフレーム１１０は、後述する電動モータ１３０（ロータリアクチュエータ；駆動源）からの駆動力（外力）を受けて斜め上下の移動方向（斜め上向き又は斜め下向き）に直線移動を行う。一方、サブフレーム１２０には複数（例えば２つ）の補助スライド体１２２が固定されている。これらの補助スライド体１２２（サブフレーム１２０）は、移動方向に沿ってメインフレーム１１０に形成された複数（例えば３つのうちの２つ）の補助長孔１１１の下端縁１１１ａ（受止部）によってほぼ同時に受け止め支持された状態で、自身の重力を利用してメインフレーム１１０に追随移動可能である。
【００５５】
また、可動演出装置１０５は、メインフレーム１１０に駆動力を及ぼす単一の電動モータ１３０と、電動モータ１３０とメインフレーム１１０との間に配置される運動変換機構１４０と、固定フレーム８とサブフレーム１２０との間に配置される従動体保持機構１５０と、固定フレーム８とメインフレーム１１０との間に配置されるメインロック機構１６０（ロック機構）と、固定フレーム８とサブフレーム１２０との間に配置されるサブロック機構１７０とを備えている。
【００５６】
このうち電動モータ１３０は、移動方向に沿って固定フレーム８に形成された固定長孔８ａ（固定案内部）の長さ（具体的には後述するラック部材１４２のスライド部１４２ｃが移動可能な範囲）を移動範囲として、メインフレーム１１０を可逆的、かつ連続的又は断続的に直線移動させる。また、運動変換機構１４０は、電動モータ１３０（モータギア１３１）の回転運動をメインフレーム１１０の直線運動に変換する機能を有する。この運動変換機構１４０は、電動モータ１３０（モータギア１３１）で回転駆動されるピニオンギア１４１と、ピニオンギア１４１と噛み合うことにより移動方向に沿って往復直線運動可能なラック１４２ａが形成されたラック部材１４２とを含む。
【００５７】
図１２（ｂ）及び図１４（ｂ）にも示すように、このラック部材１４２は、メインフレーム１１０に固定（一体的に形成）されるとともに、サブフレーム１２０を移動方向に沿って移動案内するための長孔１４２ｂ（案内部）を有する。具体的には、移動方向に形成された長孔１４２ｂに、サブフレーム１２０に固定（一体的に形成）されたスライド体１２１を挿入することによって、運動変換機構１４０（ラック部材１４２）の軽量化を図っている。
【００５８】
また、メインフレーム１１０にも、サブフレーム１２０を移動方向に沿って移動案内するための補助長孔１１１（補助案内部）を複数（例えば３つ）形成することによって、サブフレーム１２０の一層円滑な直線移動が可能になる。具体的には、移動方向に平行状に貫通形成された３つの補助長孔１１１に、サブフレーム１２０に固定（一体的に形成）された１つのスライド体１２１と２つの補助スライド体１２２とを各々挿入する。さらに、固定フレーム８に、ラック部材１４２を移動方向に沿って移動案内するための固定長孔８ａ（固定案内部）を形成することによって、メインフレーム１１０及びサブフレーム１２０のさらに円滑な直線移動が可能になる。具体的には、移動方向に形成された固定長孔８ａに、ラック部材１４２に固定（一体的に形成）されたスライド部１４２ｃを挿入する。
【００５９】
いずれか１つ（例えば最も左側）の補助長孔１１１は、固定フレーム８に貫通形成された固定長孔８ａ、及びラック部材１４２に貫通形成された長孔１４２ｂと各々前後方向に重なるように配置されている。そして、長孔１４２ｂに対応して挿入されるスライド体１２１は、最も左側の補助長孔１１１及び固定長孔８ａをも貫通するとともに、これら補助長孔１１１、固定長孔８ａ及び長孔１４２ｂにそれぞれ摺動案内されるので、サブフレーム１２０は極めて円滑に移動できる（図１４（ｂ）参照）。なお、補助長孔１１１の下端縁１１１ａを上記した受止部に兼用しているので、可動演出装置１０５の構成をさらに簡略化できる。
【００６０】
従動体保持機構１５０は、メインフレーム１１０の上昇時（斜め上向き移動時）に、移動範囲の下限位置（すなわち単独移動領域の始端；図１１参照）において、サブフレーム１２０を位置保持してメインフレーム１１０との追随移動を停止させる。単独移動領域から同期移動領域への移行を円滑にするために、従動体保持機構１５０は、固定フレーム８に貫通形成された凹部１５１と、サブフレーム１２０から後方側に突出形成された突出部１５２とによって構成されている。ここで、単独移動領域とは、サブフレーム１２０が追随移動を停止しメインフレーム１１０のみ単独移動する領域であり、メインフレーム１１０が初期位置（図１１参照）から往路中間位置（図１２参照）に至る範囲を意味する。また、同期移動領域とは、移動範囲のうちサブフレーム１２０がメインフレーム１１０に追随移動する領域であり、メインフレーム１１０が往路中間位置（図１２参照）から終端位置（図１３参照）に至る範囲を意味する。なお、この従動体保持機構１５０の突出部１５２と、上記した補助スライド体１２２とをサブフレーム１２０に一体形成して、可動演出装置１０５の構成をさらに簡略化している。
【００６１】
したがって、メインフレーム１１０は電動モータ１３０からの駆動力により移動範囲を移動方向上方に直線移動する。このとき、単独移動領域（図１１→図１２）では、サブフレーム１２０が従動体保持機構１５０により追随移動を停止し、メインフレーム１１０のみが単独で上方移動する。一方、同期移動領域（図１２→図１３）では、サブフレーム１２０（補助スライド体１２２）が補助長孔１１１の下端縁１１１ａを介し自身の重力作用によりメインフレーム１１０に追随移動する。
【００６２】
メインロック機構１６０は、メインフレーム１１０を移動範囲の上限（すなわちメインフレーム１１０の終端位置；図１３参照）において位置固定する。メインフレーム１１０の移動方向下方へのずり落ちを防止するために、メインロック機構１６０は、固定フレーム８の上端部に固定された永久磁石１６１と、メインフレーム１１０の上端部に固定された鉄板１６２（強磁性体）とによって構成されている。
【００６３】
図１５に示すように、サブロック機構１７０は、メインフレーム１１０の上昇時（斜め上向き移動時）に、移動範囲の上限（すなわち同期移動領域の終端；図１３参照）において、サブフレーム１２０を位置保持してメインフレーム１１０との追随移動を停止させる。サブフレーム１２０の移動方向下方へのずり落ちを防止するために、サブロック機構１７０は、固定フレーム８の上端部に固定された永久磁石１７１と、サブフレーム１２０の上端部に固定された鉄板１７２（強磁性体；ただし、メインロック機構１６０の鉄板１６２と兼用）とによって構成されている。
【００６４】
したがって、メインフレーム１１０は電動モータ１３０からの駆動力により移動範囲を移動方向下方に直線移動する。このとき、単独移動領域（図１３→図１６）では、サブフレーム１２０が従動体保持機構１５０により追随移動を停止し、メインフレーム１１０のみが単独で下方移動する。一方、非同期移動領域（図１６→図１１）では、サブフレーム１２０の補助スライド体１２２がメインフレーム１１０に形成された補助長孔１１１の上端縁１１１ｂ（サブロック解除部）に当接することにより、サブフレーム１２０はサブロック機構１７０の吸着力に抗して落下を開始する。サブフレーム１２０は落下途中で従動体保持機構１５０にて受け止められて停止（復路中間位置を保持）するが、メインフレーム１１０はさらに移動範囲の下限まで移動する。
【００６５】
固定フレーム８には、上限位置（終端位置：図１３）に対応させて、メインフレーム１１０（ラック部材１４２）の変動状態を非接触式にて検知するために、フォトセンサ１６９（検知手段）が設置されている。また、ラック部材１４２の長手方向中央付近には、フォトセンサ１６９の所定領域を通過する（すなわち、光を遮る）ことによって終端位置へ到達したことを感知し、電動モータ１３０の駆動を停止させるための遮蔽板１４２ｄ（通過部）が一体成形されている。
【００６６】
メインフレーム１１０の右端部には、アルファベット文字『Ｂ』が表示された右文字枠１１０Ｒ（原動側表示体）が前方側に向けて突出形成されている。一方、サブフレーム１２０の左端部及び中央部には、アルファベット文字『Ｎ』、『Ｐ』が表示された左文字枠１２０Ｌ（従動側表示体）及び中文字枠１２０Ｃ（従動側表示体）が前方側に向けてそれぞれ突出形成されている。これらの文字枠１２０Ｌ，１２０Ｃ，１１０Ｒは、前端に位置する表示面（前面）が揃うように、突出高さを一致させてある。また、各文字枠１２０Ｌ，１２０Ｃ，１１０Ｒの境界位置（境界線）の方向と、フレーム１１０，１２０の移動方向とを一致させてあるので、単独移動領域において中文字枠１２０Ｃと右文字枠１１０Ｒとが斜めに切断されたような視覚効果を生み出すことができる。なお、装飾効果・演出効果を高めるために、各文字枠１２０Ｌ，１２０Ｃ，１１０Ｒの表示面には、文字枠１２０Ｌ，１２０Ｃ，１１０Ｒ毎に異なる着色を施したり、文字枠１２０Ｌ，１２０Ｃ，１１０Ｒに跨って連続する図柄を施したりしてもよい。
【００６７】
以上で説明した可動演出装置１０５の作動について、図１１〜図１７を参照しつつさらに説明する。
【００６８】
＜初期位置（図１７（ａ），図１１）→往路中間位置（図１７（ｂ），図１２）：単独移動領域＞
初期位置において電動モータ１３０を図１１の矢印の方向に駆動すると、サブフレーム１２０が従動体保持機構１５０により追随移動を停止する。具体的には、サブフレーム１２０に形成された突出部１５２が固定フレーム８に貫通形成された凹部１５１に当接し、サブフレーム１２０は中間位置に保持されている。一方、メインフレーム１１０は電動モータ１３０からの駆動力により移動方向上方に直線移動するから、単独移動領域（図１７（ａ）→図１７（ｂ））では、メインフレーム１１０のみが単独で上方移動する。
【００６９】
＜往路中間位置（図１７（ｂ），図１２）→終端位置（図１７（ｃ），図１３）：同期移動領域＞
往路中間位置に達した後、同期移動領域（図１７（ｂ）→図１７（ｃ））では、サブフレーム１２０（補助スライド体１２２）が補助長孔１１１の下端縁１１１ａで受け止め保持され、自身の重力作用によりメインフレーム１１０に追随移動（下方移動）する。終端位置に達すると、フォトセンサ１６９による遮蔽板１４２ｄの検知によって電動モータ１３０の駆動が停止するとともに、メインロック機構１６０の永久磁石１６１がメインフレーム１１０に固定された鉄板１６２を吸着し、メインフレーム１１０は上限位置（終端位置）に吸着保持される。それとほぼ同時に、サブロック機構１７０の永久磁石１７１がサブフレーム１２０に固定された鉄板１７２を吸着し、サブフレーム１２０も上限位置（終端位置）に吸着保持される。
【００７０】
＜終端位置（図１７（ｃ），図１３）→復路中間位置（図１７（ｄ），図１６）：単独移動領域＞
終端位置において電動モータ１３０を図１２の矢印と逆方向に駆動すると、ロック機構１６０の吸着力に抗して、ラック部材１４２（メインフレーム１１０）が移動方向下方に直線移動する。このとき、単独移動領域（図１７（ｃ）→図１７（ｄ））では、サブフレーム１２０は、サブロック機構１７０によって吸着保持されて追随移動を停止し、メインフレーム１１０のみが単独で下方移動する。
【００７１】
＜復路中間位置（図１７（ｄ），図１６）→初期位置（図１７（ａ），図１１）：非同期移動領域＞
メインフレーム１１０は電動モータ１３０からの駆動力により引き続き移動範囲を移動方向下方に直線移動する。復路中間位置において、サブフレーム１２０の補助スライド体１２２がメインフレーム１１０に形成された補助長孔１１１の上端縁１１１ｂ（サブロック解除部）に当接することにより、サブフレーム１２０は、サブロック機構１７０の吸着力に抗して、メインフレーム１１０の移動速度とは異なる速度で落下を開始する。非同期移動領域（図１７（ｄ）→図１７（ａ））では、サブフレーム１２０は落下途中で従動体保持機構１５０にて受け止められて停止（復路中間位置を保持）するが、メインフレーム１１０はさらに移動範囲の下限まで移動して初期位置に戻る。
【００７２】
なお、往路（上昇時）における電動モータ１３０の駆動停止により、メインフレーム１１０は単独移動領域又は同期移動領域の移動途中で停止可能である。メインフレーム１１０が単独移動領域の途中で停止したとき、サブフレーム１２０は、従動体保持機構１５０により追随移動を妨げられて停止する。一方、メインフレーム１１０が同期移動領域の途中で停止したとき、サブフレーム１２０（補助スライド体１２２）は補助長孔１１１の下端縁１１１ａで受け止め支持された状態にて停止する。このような移動態様（停止態様）を可能とすることによって、演出動作の一層の多様化を図ることができる。
【００７３】
このように、サブフレーム１２０の重力（自重）を利用することによって、電動モータ１３０に対する負荷の増大を抑制して構成の簡略化を図りつつ、両フレーム１１０，１２０に対してこれまでにない斬新な動きを付与して演出動作の多様性を実現することができる。つまり、サブフレーム１２０は、メインフレーム１１０に対して同期移動領域と単独移動領域とで異なる態様で関わることになるので、斬新かつ顕著な変化を付加することができ、多様な演出動作が可能となる。また、サブフレーム１２０から電動モータ１３０への直接的な負荷の増加を少なくすることができるので、簡素な構成にて実現できる。
【００７４】
また、ラック部材１４２の移動方向に形成された長孔１４２ｂに、サブフレーム１２０に固定（一体的に形成）されたスライド体１２１を挿入することによって、サブフレーム１２０の円滑な直線移動と運動変換機構１４０（ラック部材１４２）の軽量化を図ることができる。
【００７５】
以上の実施例では、遊技機用可動演出装置をパチンコ機に搭載する場合についてのみ説明したが、アレンジパチンコ等のその他の弾球遊技機は勿論、スロットマシンやパチスロ機等の回胴式遊技機、ポーカーゲーム機や雀球遊技機等の各種ゲーム機、等で実施してもよい。
【符号の説明】
【００７６】
１          パチンコ機（遊技機）
２          遊技盤
３          液晶表示部（可変表示手段）
４          中央フレーム
５          可動演出装置（遊技機用可動演出装置）
８          固定フレーム（固定部材）
８ａ        固定長孔（固定案内部）
１０        メインフレーム（原動体；第一の可動体）
１０Ｒ      右文字枠（原動側表示体）
１１        補助長孔（補助案内部）
１１ａ      下端縁（受止部）
２０        サブフレーム（従動体；第二の可動体）
２０Ｌ      左文字枠（従動側表示体）
２０Ｃ      中文字枠（従動側表示体）
２１        スライド体
２２        補助スライド体
３０        電動モータ（ロータリアクチュエータ；駆動源）
３１        モータギア
４０        運動変換機構
４１        ピニオンギア
４２        ラック部材
４２ａ      ラック
４２ｂ      長孔（案内部）
４２ｃ      スライド部
４２ｄ      遮蔽板（通過部）
５０        従動体保持機構
５１        凹部
５２        突出部
６０        メインロック機構（ロック機構）
６１        永久磁石
６２        鉄板（強磁性体）
６９        フォトセンサ（検知手段）
１００      センター役物
１０５      可動演出装置（遊技機用可動演出装置）
１１０      メインフレーム（原動体；第一の可動体）
１１０Ｒ    右文字枠（原動側表示体）
１１１      補助長孔（補助案内部）
１１１ａ    下端縁（受止部）
１１１ｂ    上端縁（サブロック解除部）
１２０      サブフレーム（従動体；第二の可動体）
１２０Ｌ    左文字枠（従動側表示体）
１２０Ｃ    中文字枠（従動側表示体）
１２１      スライド体
１２２      補助スライド体
１３０      電動モータ（ロータリアクチュエータ；駆動源）
１３１      モータギア
１４０      運動変換機構
１４１      ピニオンギア
１４２      ラック部材
１４２ａ    ラック
１４２ｂ    長孔（案内部）
１４２ｃ    スライド部
１４２ｄ    遮蔽板（通過部）
１５０      従動体保持機構
１５１      凹部
１５２      突出部
１６０      メインロック機構（ロック機構）
１６１      永久磁石
１６２      鉄板（強磁性体）
１６９      フォトセンサ（検知手段）
１７０      サブロック機構
１７１      永久磁石
１７２      鉄板（強磁性体）
【図１】
2010273836.tif 000003
【図２】
2010273836.tif 000004
【図３】
2010273836.tif 000005
【図４】
2010273836.tif 000006
【図５】
2010273836.tif 000007
【図６】
2010273836.tif 000008
【図７】
2010273836.tif 000009
【図８】
2010273836.tif 000010
【図９】
2010273836.tif 000011
【図１０】
2010273836.tif 000012
【図１１】
2010273836.tif 000013
【図１２】
2010273836.tif 000014
【図１３】
2010273836.tif 000015
【図１４】
2010273836.tif 000016
【図１５】
2010273836.tif 000017
【図１６】
2010273836.tif 000018
【図１７】
2010273836.tif 000019